(57)【要約】【課題】  身体の適用個所に対する温暖効果が大きく、好適に使用することのできる身体用温暖パッドの提供、並びに、適用個所を任意に選択することができる汎用性を有し、高い利便性を有する身体用温暖パッドを提供すること。【解決手段】  身体用温暖パッドは、遠赤外線放射性シートにより構成されたパッド本体と、このパッド本体を身体の適用個所に対接された状態で身体に保持するための保持部材とよりなる。身体用温暖パッドの保持部材はパッド本体から伸びる条体よりなり、この条体により、使用者により任意に選択された身体の適用個所にパッド本体が保持されるものであることが好ましい。【選択図】  図１
2007151701.tif 000002
【特許請求の範囲】
【請求項１】
遠赤外線放射性シートにより構成されたパッド本体と、このパッド本体が身体の適用個所に対接された状態で当該パッド本体を身体に保持するための、当該パッド本体に設けられた保持部材とよりなることを特徴とする身体用温暖パッド。
【請求項２】
保持部材はパッド本体から伸びる条体よりなり、この条体により、使用者により任意に選択された身体の適用個所にパッド本体が保持されることを特徴とする請求項１に記載の身体用温暖パッド。
【請求項３】
パッド本体は、遠赤外線放射性シートの厚み方向に変形可能な柔軟性を有し、身体の適用個所の形態に応じて変形されることを特徴とする請求項１または請求項２に記載の身体用温暖パッド。
【請求項４】
パッド本体は、遠赤外線放射性シートと、この遠赤外線放射性シートを分離可能に包む布製カバーとよりなることを特徴とする請求項１〜請求項３のいずれかに記載の身体用温暖パッド。
【請求項５】
パッド本体に磁石が設けられていることを特徴とする請求項１〜請求項４のいずれかに記載の身体用温暖パッド。
【発明の詳細な説明】
【技術分野】
【０００１】
本発明は、身体用温暖パッドに関する。
【背景技術】
【０００２】
従来、身体を温暖に保持する衣類や衣料用品として種々のものが知られており、使用されている。そして、身体の局部的な個所を適用個所とする身体用温暖衣料用品としては、例えばマフラーや腹掛けなどが広く使用されている。
しかしながら、従来においては、身体の局所的な適用個所に使用されてこれに対する温暖効果が大きく、しかも好適に使用することのできるの身体温暖用衣料用品は提供されていない。特に、従来の身体温暖用衣料用品は、その適用個所が特定の個所に限定されたものであって、適用個所についての汎用性がなく、この点において利便性に乏しい、という問題点がある。
【発明の開示】
【発明が解決しようとする課題】
【０００３】
本発明は、以上のような事情に基づいてなされたものであって、身体の適用個所に対する温暖効果が大きく、好適に使用することのできる身体用温暖パッドを提供することを目的とする。
本発明の他の目的は、その適用個所を任意に選択することができる汎用性を有し、高い利便性を有する身体用温暖パッドを提供するにある。
【課題を解決するための手段】
【０００４】
本発明の身体用温暖パッドは、遠赤外線放射性シートにより構成されたパッド本体と、このパッド本体が身体の適用個所に対接された状態で当該パッド本体を身体に保持するための、当該パッド本体に設けられた保持部材とよりなることを特徴とする。
【０００５】
この身体用温暖パッドにおいて、保持部材はパッド本体から伸びる条体よりなり、この条体により、使用者により任意に選択された身体の適用個所にパッド本体が保持されるものであることが好ましい。
【０００６】
上記身体用温暖パッドにおいて、パッド本体は、遠赤外線放射性シートの厚み方向に変形可能な柔軟性を有し、身体の適用個所の形態に応じて変形されることが好ましい。
また、パッド本体は、遠赤外線放射性シートと、この遠赤外線放射性シートを分離可能に包む布製カバーとよりなることが好ましい。
更に、パッド本体に磁石が設けられた構成とすることができる。
【発明の効果】
【０００７】
本発明の身体用温暖パッドによれば、身体の適用個所に対接されるパッド本体が遠赤外線放射性シートにより構成されていることにより、身体の適用個所に対して大きな温暖効果を得ることができる。
【０００８】
また、当該身体用温暖パッドにおいて、保持部材をパッド本体から伸びる条体よりなる構成においては、当該条体が適宜の状態で結ばれることにより、使用者により任意に選択された身体の適用個所にパッド本体を保持することができる点で汎用性が得られ、従って高い利便性が得られる。
【発明を実施するための最良の形態】
【０００９】
以下、図面を参照して、本発明の実施の形態について詳細に説明する。
【００１０】
図１は、本発明の身体用温暖パッドの具体的な一例における裏面を示す説明用裏面図、図２は、パッド本体の構成を示す説明用断面図である。
【００１１】
この例に係る身体用温暖パッドは、全体が略長円形の遠赤外線放射性シートよりなる温暖シート１０が、当該温暖シート１０に適合する形態を有する袋状の布製カバー１２内に挿入配置されてなるパッド本体１４を備えている。
【００１２】
温暖シート１０を構成する遠赤外線放射性シートは、特に限定されるものではなく、遠赤外線を放射する特性を有する柔軟なシート材であればよく、例えば天然鉱物であるコロマナイトを焼成して得られる粉末が混入された発泡ポリエチレンから得られるシートを好ましいものとして挙げることができる。温暖シート１０は、このような遠赤外線放射性シートを適宜の形状に切り出して形成することができる。
【００１３】
温暖シート１０を包囲する布製カバー１２は、通常、当該布製カバー１２が直接に適用個所の皮膚面に直接接触されることから、いわゆる肌触りのよい、柔軟な布により構成されることが好ましい。
【００１４】
布製カバー１２は、温暖シート１０が分離可能な状態で当該温暖シート１０を一体的に包囲するものであることが好ましい。図の例の布製カバー１２は、その裏面における一角部（図１では右下の角部）に斜めに伸びる開口部Ｍが形成された袋状であって、変形可能な温暖シート１０が、当該開口部Ｍを介して、布製カバー１２内に挿入されて収容され、これにより、温暖シート１０が布製カバー１２により包囲された状態とされている。
【００１５】
上記のパッド本体１４には、適宜の長さを有する繊維体により構成された保持用紐１６が設けられている。具体的には、この保持用紐１６は、その両端部１６Ａ，１６Ｂが、パッド本体１４の裏面における長手方向の両端部分の個所における布製カバー１２に縫着されることにより固定されており、従って、当該保持用紐１６とパッド本体１４とにより全体が無端の環状の状態に構成されている。
【００１６】
本発明の身体用温暖パッドは、上記のような構成を有するものであるから、パッド本体１４の適宜の面を、使用者が温暖を望む任意の身体の適用個所に対接し、この状態で、当該対接状態が維持されるよう、保持用紐１６を身体の一部を利用して結ぶことにより、選択された適用個所に当該身体用温暖パッドを適用することができる。
【００１７】
具体的に説明すると、例えば人がその右肩上面部を適用個所として使用する場合には、パッド本体１４を右肩上面部に当てて対接させ、頭部および左腕を、保持用紐１６とパッド本体１４との環状体を通過するようくぐらせ、保持用紐１６の一部が左脇下を通過する状態とし、適宜の個所において当該保持用紐１６それ自体を結ぶことによって全体の環状体としての長さを調節すればよい。
【００１８】
パッド本体１４を構成する温暖シート１０および布製カバー１２はいずれも柔軟性を有するために変形可能であるから、適用された状態において、当該パッド本体１４は、適用個所の形態に応じて温暖シート１０の厚み方向に自由に変形して、適用個所に密着された状態に保持される。適用においては、パッド本体１４が適用個所の皮膚面に直接対接される態様で使用されることが好ましいが、例えば肌着や適宜の布材などの仲介層を介して、皮膚面に対接される態様で使用することも可能である。
【００１９】
この状態では、温暖シート１０の遠赤外線放射特性による温暖作用が布製カバー１２を介して当該適用個所に対して加えられ、これにより、当該適用個所に温暖効果が得られ、その結果、当該適用個所の発汗作用が促進されて老廃物の新陳代謝が活発となり、血行がよくなるなど、健康状態の向上および維持が図られる。
【００２０】
そして、パッド本体１４においては、温暖シート１０が布製カバー１２とは分離可能とされているので、布製カバー１２が汚れた場合に、温暖シート１０を分離して布製カバー１２などを洗濯することができる。
【００２１】
本発明の重要な特徴の一つは、当該身体用温暖パッドの身体に対する適用個所が特定の局部または部位に特定されておらず、その意味における汎用性を有することにある。このような観点から、パッド本体の形態は、身体の特定の局部の形態に合わせて形成されたものではない。
パッド本体は、従って、矩形、正方形、その他の多角形であってもよいが、円形、長円形、楕円形、それらの複合形などの、湾曲した外形輪郭を有する形状とされることが好ましい。また、パッド本体の寸法も特に限定されるものではないが、通常、局部的な温暖効果が得られればよいことから、最大径が２０〜４０ｃｍ程度のものであればよい。
【００２２】
本発明の身体用温暖パッドは、使用者の希望による任意の個所に適用されるが、その具体的部位としては、肩、首、上腕部、腰部、足部などを挙げることができる。
【００２３】
パッド本体を適用個所に安定して保持するための保持部材として、図示の例では保持用紐１６が利用されているが、本発明では、種々の保持部材を用いることができる。具体的には、パッド本体と共に環状体を形成するよう設けられた紐状ゴム、パッド本体と共に環状体を形成しない２本の有端紐、すなわち図示の例における保持用紐１６がその長さ方向の途中で切断された状態の紐、リボン状の紐、その他の条体を挙げることができ、これらは、保持部材として好ましいものである。
【００２４】
また、パッド本体またはその付属物に設けられた、例えば皮膚面粘着部やいわゆるマジックテープをにより、保持部材を構成することも可能であり、更に、保持部材補助品の利用も可能である。
このように、保持部材は、その保持の態様や保持の作用の原理は、本質的に、特定のものに限定されるものではない。
【００２５】
本発明においては、パッド本体の具体的な構成も特に限定されるものではなく、温暖シートを構成する遠赤外線放射性シートの材質、厚み、数、形状などは、全く自由である。そして、パッド本体に対する保持部材の取付け方も任意である。
更に、布製カバーの材質、厚み、形態も制限されるものではなない。従って、布製カバーは、例えば、互いに分離可能に接合されることによって包囲体が形成される複数のカバー材からなるものとすることもできる。
【００２６】
更に、本発明においては、種々の変形や応用が可能である。例えば、パッド本体と保持部材とは一体に連結されたものではなく、パッド本体の被係合部に保持部材が係合することによって取り付けられる構成とすることも可能である。このような構成の例としては、保持部材を構成する紐状体を、パッド本体に形成された紐状体挿通部に挿通させることによって、保持部材がパッド本体に設けられる構成を挙げることができる。
【００２７】
本発明の身体用温暖パッドには、種々の付属品を設けることも可能であって、例えば健康増進用の磁石体をパッド本体の布製カバーの表面または裏面に設けることができる。
【図面の簡単な説明】
【００２８】
【図１】本発明の身体用温暖パッドの具体的な一例における裏面を示す説明用裏面図である。
【図２】図１の例におけるパッド本体の構成を示す説明用断面図である。
【符号の説明】
【００２９】
１０  温暖シート
１２  布製カバー
１４  パッド本体
Ｍ  開口部
１６  保持用紐
１６Ａ、１６Ｂ  両端部
【図１】
2007151701.tif 000003
【図２】
2007151701.tif 000004